(57)【要約】      （修正有）【課題】小さく折り畳むことができて携帯に便利な炭火用コンロを新規に提供する。【解決手段】下部に炭火用の床板６と上部に焼網７を有し、これらの四周を囲む４枚の側板２〜５とからなる炭火用コンロ１において、上部の焼網７を着脱自在とするほか、炭火用の床板６と四周の側板２〜５のうち相対２枚の側板４、５を内折り畳みと展開可能に形成して、展開により角筒形の炭火用コンロ１を構成し、折り畳みにより携帯可能な薄平なボックス形とする。【選択図】図１
0003222227.tif 000002
【実用新案登録請求の範囲】
【請求項１】
下部に炭火用の床板と上部に焼網を有し、これらの四周を囲む４枚の側板とからなる炭火用コンロにおいて、上部の焼網を着脱自在とするほか、炭火用の床板と四周の側板のうち相対２枚を内折り畳みと展開可能に形成して、展開により角筒形の炭火用コンロを構成し、折り畳みにより携帯可能な薄平なボックス形とすることを特徴とする折り畳み携帯可能な炭火用コンロ。
【請求項２】
炭火用の床板は折り畳み展開構成しない相対２枚の側板を支点にして２枚に分けて形成し、側面視山形を呈しながら折り畳み、平らに戻して展開するようにした請求項１に記載の折り畳み携帯可能な炭火用コンロ。
【請求項３】
折り畳み展開する相対２枚の側板は、折り畳み展開しない側板にそれぞれ支点を有す２枚に分けて形成し、支点をもとに内折りして折り畳み、戻し開きにより展開するようにした請求項１または２に記載の折り畳み携帯可能な炭火用コンロ。
【請求項４】
炭火用の２枚に分けた床板と折り畳み展開する相対２枚の側板は突合い内端に展開時につなぎ止めする掛止部を設けた請求項１乃至３のいずれかに記載の折り畳み携帯可能な炭火用コンロ。
【考案の詳細な説明】
【技術分野】
【０００１】
この考案は折り畳み携帯可能な炭火用コンロに関するものある。
【背景技術】
【０００２】
この種の炭火用コンロとしては実用新案登録第３２１５２８８号公報がある。この公報は図１に示されているように焼き網５と炭火用の床板６を上動して、その分側板２，３を図９の三角形に折り畳まれるということを記載している。
【特許文献１】実用新案登録第３２１５２８８号公報
【考案の開示】
【考案が解決しようとする課題】
【０００３】
しかしながら、焼き網５と床板６は上下動するけれども長方形のままなので、折り畳んでも嵩張って携帯に適応しないという課題がある。
【課題を解決するための手段】
【０００４】
本考案は焼網を着脱自在とし、不使用のときは外して、四周のうちの相対２枚の側板と、炭火用の床板をそれぞれ２分して、これらを支点をもとに折り畳み展開可能とし、折り畳み時には薄平なボックス形にして携帯しやすくして、上記公報の課題を解決したのである。
【考案の効果】
【０００５】
本考案は炭火用コンロを焼網の取外しと、床板および側板の折り畳みにより携帯時には薄平なボックス形にすることで、例えばキャンプ等への持ち運び携帯を容易することができ、保管時も場所をとらないという効果を生ずる。
【０００６】
展開することで使用後のクリーニングを容易にして、衛生的にするという効果を生ずる。
【０００７】
展開および折り畳み時に治具等を要しないので子供でも簡単に取り扱うことができるという効果を生ずる。
【図面の簡単な説明】
【０００８】
【図１】本考案の１実施例を示す斜視図
【図２】同、床板の展開から折り畳みつつある状態を示す説明図
【図３】同、焼網と提手を取り外した状態を示す斜視図
【図４】同、半側板を内折りした状態の斜視図
【図５】同、床板を折り畳んで薄平ボックス形にした状態の斜視図
【図６】本考案の第２実施例を示す斜視図
【符号の説明】
【０００９】
１は炭火用コンロ
２，３，４，５は側板
４ａ，４ｂ，５ａ，５ｂは半側板
６は床板
６ａ，６ｂは半床板
６ｃは突合い支点
６ｄは延長部
７は焼網
８は通気口
９は焼網の受け具
１０は提手
１１ａは掛け金
１１ｂは掛止棒
イは側板２，３の側縁に設けた支点
ロは側板２，３の下部中間に設けた支点
【考案を実施するための最良の形態】
【００１０】
本考案は、焼網を着脱自在とするほか、炭火用の床板と四周の側板のうち相対２枚を内折り畳みと展開可能に形成して、展開により角筒形の炭火用コンロを構成し、折り畳みにより携帯可能な薄平ボックス形とすることで室内のほか野外にも容易に携行して使用することができるものとなる。
【実施例１】
【００１１】
図１乃至図５は炭火用コンロ１の実施例であって、図１は角筒形に展開組立てした使用状態を示すもので、四周を囲む４枚の側板２，３，４，５と、内側下部に炭火用の床板６を設けるとともに上部に取外し自在の焼網７を載せている。８は側板２，３の適所に複数個設けた通気口、９は焼網７の受け具、１０は取外し自在に設けた提手である。
【００１２】
なお、四周の側板のうち、相対する側板２，３は１枚ものにて形成し、ほかの側板４，５はそれぞれ側板２，３の側縁を支点イにして側板２，３側に内折り畳みできるように半側板４ａ，４ｂ、５ａ，５ｂの各２枚ずつに分けて形成して、展開時に掛け金１１ａを掛止棒１１ｂにかけてつなぎ止めするようにしている。
【００１３】
また、床板６は図２（ａ）（ｂ）に示すように、側板２，３の下部中間を支点ロにして半床板６ａ，６ｂの２枚にわけて形成し、中間の突合い支点６ｃをもとに山形に上げ曲げて折り畳みできるようにしている。一方の半床板６ａは先に延長部６ｄを設けて、展開したときに他方の半床板６ｂの先部に乗ってストッパーの役割をして床板６を展開形にて保形するようにしている。
なお、床板６は側板２，３の下端から離れたところに支点ロを設けることで接地面より離れて位置することになる。
【００１４】
以上のように構成した炭火用コンロ１を折り畳むときは、図３乃至図５に示すように焼網７，７および提手１０，１０を取外し、側板４，５の掛け金１１ａの掛止を解いて半側板４ａ，４ｂ、５ａ，５ｂをそれぞれ側板２，３側に内折りし、床板６を山折りすることで薄平ボックス形に折り畳むのである。図示してない収容袋／収容ケース等に焼網７，７、提手１０，１０とともに収納してコンパクトに携帯できるものとなる。
【実施例２】
【００１５】
図６は本考案の第２実施例を示すもので、側板４，５を２枚に分けることなしに１枚ものにて形成し、側板２，３の支点イをもとに内折り畳みできるようにしたもので、部品点数が少となることで製造の手間を省くことができるものとなる、その他の作用，効果は第１実施例と同じである。
【００１６】
本考案の炭火用コンロは大小の各種にて作成することができるが、焼網７を１２ｃｍ角程度の小さなものにすれば一人用のパーソナルコンロとしてテーブル上に並べることができる。
また、実施例では記載してないが各板材は縁部を折り立てて板材の剛性を高めるようにしており、中間部にリブを形成して補強することもある。その他、実用新案登録請求に記載された範囲において設計変更を加えることができる。
【産業上の利用可能性】
【００１７】
本考案の炭火用コンロは簡単に折り畳み・展開することができて、折り畳み時にはコンパクトな薄平形にして携帯・保管を容易にして、しかも強靭なため広く利用されるものである。
【図１】
0003222227.tif 000003
【図２】
0003222227.tif 000004
【図３】
0003222227.tif 000005
【図４】
0003222227.tif 000006
【図５】
0003222227.tif 000007
【図６】
0003222227.tif 000008